(57)【要約】【課題】配線材の噛み込みや挟み込み等が発生しにくく、配線作業が容易な車両用パワーシートの配線方法を提供する。【解決手段】所要の配線パターンに形成された薄板導体を絶縁フィルムで挟んで薄板導体と絶縁フィルムを一体化して所要のパターンの可撓性フラット配線材４３を形成する。或いは、薄板導体を絶縁フィルムで挟んで薄板導体と絶縁フィルムを一体化した帯状配線材により所要の配線パターンの可撓性フラット配線材４３を形成する。この可撓性フラット配線材４３を、パワーシートのシートアジャスタ１とクッションフレーム２５の間の空間及びシートアジャスタ１内の空間に配線し、可撓性フラット配線材４３の端部をパワーシート内に組み込まれているモーター９、１１、１３、１５等に接続する。【選択図】図１
2006199288.tif 000002
【特許請求の範囲】
【請求項１】
所要の配線パターンに形成された薄板導体を絶縁フィルムで挟んで薄板導体と絶縁フィルムを一体化して所要のパターンの可撓性フラット配線材を形成し、この可撓性フラット配線材を、パワーシートのシートアジャスタとクッションフレームの間の空間及び／又はシートアジャスタ内の空間に配線し、可撓性フラット配線材の端部をパワーシート内に組み込まれている各種部品に接続することを特徴とする車両用パワーシートの配線方法。
【請求項２】
可撓性フラット配線材同士の分岐接続部を設けて複雑な配線パターンに対応することを特徴とする請求項１記載の車両用パワーシートの配線方法。
【請求項３】
薄板導体を絶縁フィルムで挟んで薄板導体と絶縁フィルムを一体化した帯状配線材により所要の配線パターンの可撓性フラット配線材を形成し、この可撓性フラット配線材をパワーシートのシートアジャスタとクッションフレームの間の空間及び／又はシートアジャスタ内の空間に配線し、可撓性フラット配線材の端部をパワーシート内に組み込まれている各種部品に接続することを特徴とする車両用パワーシートの配線方法。
【請求項４】
帯状配線材の折り曲げ、接合、重ね合わせ等の手段により、所要の配線パターンの可撓性フラット配線材を形成することを特徴とする請求項３記載の車両用パワーシートの配線方法。
【請求項５】
可撓性フラット配線材の端部にコネクタが取り付けられていることを特徴とする請求項１ないし４のいずれかに記載の車両用パワーシートの配線方法。
【発明の詳細な説明】
【技術分野】
【０００１】
本発明は、自動車などの車両に用いられるパワーシートの配線方法に関するものである。
【背景技術】
【０００２】
パワーシートは、座席内部にモーターを組み込んで、スイッチ操作により、前後スライド調整、前端部上下調整、後端部上下調整、リクライニング調整、ランバーサポート調整などのうちの少なくとも前後スライド調整を含む１種以上の調整を行えるようにしたものである。
【０００３】
上記のような各種調整を行うためには、座席内部に、モーターと、操作スイッチと、電源とをつなぐ配線材を配線する必要がある。従来は、この配線材として多数の電線を束ねたワイヤーハーネスが用いられていた（特許文献１）。
【０００４】
【特許文献１】実願平１−３２２６号（実開平２−９６２１８号）のマイクロフィルム
【発明の開示】
【発明が解決しようとする課題】
【０００５】
しかし、ワイヤーハーネスは多数の電線を束ねたものであるため、ある程度の太さを有しているのに対し、パワーシート内部はモーターその他の機構部品が詰まっていて配線に使用できるスペースが限られているため、従来の配線方法では余裕のない配線形態となり、シート移動時にワイヤーハーネスの噛み込み、挟み込み、擦れ等が発生しやすい。これを防止するためワイヤーハーネスに保護管を被せて配線することも行われているが、保護管を被せるとさらに外径が大きくなるため、配線スペースの確保や配線作業が困難になる。
【０００６】
本発明の目的は、上記のような問題点に鑑み、配線材の噛み込みや挟み込み等が発生しにくく、配線作業が容易な車両用パワーシートの配線方法を提供することにある。
【課題を解決するための手段】
【０００７】
この目的を達成するため本発明の配線方法は、所要の配線パターンに形成された薄板導体を絶縁フィルムで挟んで薄板導体と絶縁フィルムを一体化して所要のパターンの可撓性フラット配線材を形成し、この可撓性フラット配線材を、パワーシートのシートアジャスタとクッションフレームの間の空間及び／又はシートアジャスタ内の空間に配線し、可撓性フラット配線材の端部をパワーシート内に組み込まれている各種部品に接続することを特徴とするものである。
【０００８】
上記の配線方法においては、可撓性フラット配線材同士の分岐接続部を設けて複雑な配線パターンに対応するとよい。
【０００９】
また、本発明の配線方法は、薄板導体を絶縁フィルムで挟んで薄板導体と絶縁フィルムを一体化した帯状配線材により所要の配線パターンの可撓性フラット配線材を形成し、この可撓性フラット配線材をパワーシートのシートアジャスタとクッションフレームの間の空間及び／又はシートアジャスタ内の空間に配線し、可撓性フラット配線材の端部をパワーシート内に組み込まれている各種部品に接続するようにしてもよい。
【００１０】
上記の配線方法においては、帯状配線材の折り曲げ、接合、重ね合わせ等の手段により、所要の配線パターンの可撓性フラット配線材を形成することができる。
【００１１】
本発明の配線方法においては、可撓性フラット配線材の端部にコネクタを取り付けておくとよい。
【発明の効果】
【００１２】
パワーシートの内部には、シートアジャスタの構成部品とクッションフレームとの間に狭い空間がある。またシートアジャスタ内にも構成部品の間に狭い空間がある。本発明においては、薄い可撓性フラット配線材を用いたことにより、上記のような狭い空間に余裕をもって配線することが可能となり、配線材の噛み込みや挟み込み等が発生しにくくなる。また狭いスペースにも余裕をもって配線できると共に、所要の配線パターンに形成された可撓性フラット配線材を使用するため、配線作業が容易になる。
【発明を実施するための最良の形態】
【００１３】
以下、本発明の実施形態を図面を参照して詳細に説明する。図１及び図２は本発明の一実施形態を示す。図において１はシートアジャスタである。このシートアジャスタ１は、１対ずつの固定レール３、可動レール５、機構部フレーム７などを備えている。またシートアジャスタ１内には、前後スライド調整用モーター９、前端部上下調整用モーター１１、後端部上下調整用モーター１３、リクライニング調整用モーター１５などが組み込まれている。
【００１４】
固定レール３は、フロア接続ブラケット１７により車体の床（図示せず）にボルト等により固定される。可動レール５は固定レール３上で前後方向にスライド可能になっている。可動レール５の移動は前後スライド調整用モーター９により行われる。すなわち、固定レール３と可動レール５内にはスクリューと固定ナット（図示せず）が組み込まれており、前記モーター９によってスライドスクリューが回転すると可動レール５が固定レール３上で前後方向に移動するようになっている。
【００１５】
機構部フレーム７は、可動レール５上に設置され、前端部と後端部が別々に上下調整できるようになっている。前端部の上下調整は、前端部上下調整用モーター１１の回転で前部リンク機構１９を駆動することにより行われる。また後端部の上下調整は、後端部上下調整用モーター１３で後部リンク機構２１を回転させることにより行われる。
【００１６】
機構部フレーム７の前後にはシートブラケット２３が固定されている。このシートブラケット２３上にはクッションフレーム２５が設置され、その上にはクッションパッド２７及びクッションカバー２９が設置されている。
【００１７】
また機構部フレーム７の後端部には軸ピン３１によりバックフレーム３３が傾動可能に取り付けられている。バックフレーム３３の背面にはバックボード３５が取り付けられ、バックフレーム３３の前面にはバックパッド３７とバックカバー３９が取り付けられている。またバックフレーム３３にはランバーサポート調整用モーター４１が組み付けられている。
【００１８】
バックフレーム３３は、リクライニング調整用モーター１５によってリクライニング調整が行えるようになっている。リクライニング調整は、モーター１５によってバックフレーム３３の下端を回転させることにより行われる。なおリクライニング調整用モーター１５はバックフレーム３３に組み付けてもよい。
【００１９】
自動車用パワーシートの内部には、上記のように各種部品が組み込まれているため（部品密度は図示の状態より高い）、ワイヤーハーネスのような太い配線材を配線しようとすると、配線ルートが制約されて、配線が非常に困難である。
【００２０】
そこで本発明は、薄い可撓性フラット配線材４３を用いることとし、この可撓性フラット配線材４３を、シートアジャスタ１とクッションフレーム２５の間の空間Ｓ及びシートアジャスタ１内の各種部品の間の空間に配線するものである。可撓性フラット配線材４３は、銅薄板からの打ち抜き加工、切り抜き加工、エッチング加工又は圧縮加工により所要の配線パターンの薄板導体を形成し、その薄板導体を両面から絶縁フィルムで挟んで熱プレス等により一体化し、絶縁フィルムを所要の形状に外形加工したものである。なお可撓性フラット配線材４３は、予め所要の形状に外形加工した絶縁フィルムで薄板導体を挟んで熱プレス等により一体化したものであってもよい。
【００２１】
図３に可撓性フラット配線材４３の一例を展開した状態で示す。この可撓性フラット配線材４３は配線パターンの端部にそれぞれコネクタ４５を取り付けたものである。なお、相手側の補機に可撓性フラット配線材４３を直接接続するようにすれば、コネクタ４５を取り付けなくてもよい場合もある。またこの可撓性フラット配線材４３は、可撓性フラット配線材４３同士の分岐接続部４７を有している。分岐接続部４７は配線パターンが複雑になる場合などに必要に応じて設けられるもので、設けなくてもよい場合もある。
【００２２】
前述のシートアジャスタ１とクッションフレーム２５の間の空間Ｓ及びシートアジャスタ１内の各種部品の間の空間は非常に狭いものであるが、可撓性フラット配線材４３は厚さが薄いので、狭い空間でも余裕をもって配線することが可能である。図１および図２に示すように、可撓性フラット配線材４３はモーター９、１１、１３、１５に接続される端部Ａと、電源に接続される端部Ｂと、パワーシート操作スイッチに接続される端部Ｃを有している。図示の例では、端部Ａはモーター９、１１、１３、１５に接続され、端部Ｂは、機構部フレーム７とクッションフレーム２５の間の隙間からパワーシート外に引き出されて電源に接続され、端部Ｃは機構部フレーム７とクッションフレーム２５の間の隙間からパワーシート外に引き出されてパワーシート操作スイッチに接続される。可撓性フラット配線材４３は厚さが薄いので、このような狭い隙間を通すことも可能である。
【００２３】
また可撓性フラット配線材４３のランバーサポート調整用モーター４１に接続される部分Ｄは、バックフレーム３３とバックパッド３７の間の空間（バックフレーム３３とバックボード３５の間の空間でもよい）に配線されている。
【００２４】
なお図１および図２では、可撓性フラット配線材４３の端部にコネクタが図示されていないが、可撓性フラット配線材４３の端部には図３のようにコネクタを取り付けておくことが配線作業を簡略化する上で好ましい。
【００２５】
また可撓性フラット配線材としては、薄板導体を絶縁フィルムで挟んで薄板導体と絶縁フィルムを一体化した帯状の配線材を、折り曲げ、接合、重ね合わせ等の手段により所要の配線パターンに形成したものを使用することもできる。
【図面の簡単な説明】
【００２６】
【図１】本発明に係るパワーシートの配線方法の一実施形態を示す断面図。
【図２】図１のパワーシートの配線方法の底面図。
【図３】本発明に用いる可撓性フラット配線材の一例を示す斜視図。
【符号の説明】
【００２７】
１：シートアジャスタ
３：固定レール
５：可動レール
７：機構部フレーム
９、１１、１３、１５：モーター
２５：クッションフレーム
３３：バックフレーム
３５：バックボード
３７：バックパッド
４１：モーター
４３：可撓性フラット配線材
４５：コネクタ
【図１】
2006199288.tif 000003
【図２】
2006199288.tif 000004
【図３】
2006199288.tif 000005